(57)【要約】      （修正有）【課題】テーブル等に対する設置や撤去が容易であり、安価に製造可能な組み立て式パーティションを提供する。【解決手段】仕切り壁となるパネル状の第一仕切部材２と第二仕切部材３を有する組み立て式パーティション１である。第一仕切部材２、第二仕切部材３に第一係合溝１０、第二係合溝１１を形成し、第一係合溝１０の内側に第二仕切部材３の一部を配し、第二係合溝１１の内側に第一仕切部材２の一部を配することで、組み立てられる。そして、組み立てられた状態では、第一仕切部材２の下側に位置する端面と、第二仕切部材３の下側に位置する端面を設置面と接触させることで、第一仕切部材２及び第二仕切部材３が起立した姿勢を維持する。【選択図】図１
0003228986.tif 000002
【実用新案登録請求の範囲】
【請求項１】
第一仕切部材と第二仕切部材を有し、
前記第一仕切部材と前記第二仕切部材は、仕切り壁となるパネル状の部材であり、
前記第一仕切部材には、第一係合溝が形成され、
前記第二仕切部材には、第二係合溝が形成されており、
前記第一係合溝の内側に前記第二仕切部材の一部を配し、前記第二係合溝の内側に前記第一仕切部材の一部を配することで、組み立てられるものであり、
組み立てられた状態では、前記第一仕切部材の下側に位置する端面と、前記第二仕切部材の下側に位置する端面を設置面と接触させることで、前記第一仕切部材及び前記第二仕切部材が起立した姿勢を維持することを特徴とする組み立て式パーティション。
【請求項２】
前記第一仕切部材と、前記第二仕切部材と、さらに他の仕切部材を有し、
前記他の仕切部材は、前記第二仕切部材と同形の部材、又は、長さ、高さ、厚さの少なくとも一つが異なるものであり、前記第二係合溝が形成され、
前記第二仕切部材と、前記他の仕切部材は、厚さ方向が同じ方向となるように少なくとも一部が重なった状態で配され、前記第一係合溝の内側に、前記第二仕切部材と前記他の仕切部材の一部同士が重なる重なり部分が配され、前記第二仕切部材と前記他の仕切部材のそれぞれに形成された前記第二係合溝の内側に前記第一仕切部材の一部が配されることを特徴とする請求項１に記載の組み立て式パーティション。
【請求項３】
前記第一仕切部材と前記第二仕切部材は、厚さ方向を視線方向とした平面視において、水平方向の長さ、及び、上下方向の長さが同一又は略同一であることを特徴とする請求項１又は２に記載の組み立て式パーティション。
【請求項４】
一つの前記第一仕切部材と、２つの前記第二仕切部材を有し、
２つの前記第二仕切部材は、厚さ方向が同じ方向となるように一部が重なった状態で並列配置され、
２つの前記第二仕切部材の一部同士が重なる重なり部分では、それぞれの前記第二仕切部材に形成された前記第二係合溝が重なり、
一つの前記第一係合溝の内側に前記重なり部分が配され、重なる２つの前記第二係合溝の内側に前記第一仕切部材の一部が配され、一つの前記第一仕切部材と、２つの前記第二仕切部材が上方からみた平面視で十字状に延びていることを特徴とする請求項１乃至３のいずれかに記載の組み立て式パーティション。
【請求項５】
一つの前記第一仕切部材と、２つの前記第二仕切部材を有し、
前記第一仕切部材と前記第二仕切部材は、仕切り壁となるパネル状の部材であり、厚さ方向を視線方向とした平面視において、水平方向の長さ、及び、上下方向の長さが同一又は略同一であり、
前記第一仕切部材には、第一係合溝が形成され、
前記第二仕切部材には、第二係合溝が形成されており、
２つの前記第二仕切部材は、厚さ方向が同じ方向となるように一部が重なった状態で並列配置され、
２つの前記第二仕切部材の一部同士が重なる重なり部分では、それぞれの前記第二仕切部材に形成された前記第二係合溝が重なり、
一つの前記第一係合溝の内側に前記重なり部分が配され、重なる２つの前記第二係合溝の内側に前記第一仕切部材の一部が配され、一つの前記第一仕切部材と、２つの前記第二仕切部材が上方からみた平面視で十字状に延びており、
前記第一仕切部材の下側に位置する端面と、２つの前記第二仕切部材の下側に位置する端面を設置面と接触させることで、前記第一仕切部材及び２つの前記第二仕切部材が起立した姿勢を維持することを特徴とする組み立て式パーティション。
【考案の詳細な説明】
【技術分野】
【０００１】
本考案は、机やテーブル等と共に使用する組み立て式パーティションに関する。
【背景技術】
【０００２】
従来、オフィス等で机を並べて配置するとき、机に取り付けて使用するパーティションが広く知られている。このようなパーティションとして、特許文献１に開示された簡易型机上パーティションがある。
【先行技術文献】
【特許文献】
【０００３】
【特許文献１】特開平１１−０４２１３５号公報
【考案の概要】
【考案が解決しようとする課題】
【０００４】
最近、新型感染症の拡大防止のため、従来では人との接触を避ける必要のなかった場所でも人との接触を減らし、感染を防止する必要が生じている。そこで、本考案の考案者らは、幼稚園や保育園等の幼児教育の現場において、食事や遊びのために複数人の生徒が同時に使用するテーブルをパーティションで区画し、生徒間の飛沫感染を防止することを考えた。
【０００５】
しかしながら、従来のパーティションは、オフィス用、店舗用のものであり、幼稚園や保育園で使用されているテーブルには不向きであった。すなわち、幼稚園や保育園等では、必要に応じてテーブルを組み立てて設置したり、畳んで片づけたりするので、既存のテーブルに対する設置や撤去が容易なもの（素早く設置や撤去が可能なもの）とする必要がある。しかしながら、従来のパーティションは、机等に対する取り付けや取り外しが煩雑なものであった。
【０００６】
また、幼稚園や保育園等において、教室等のスペースは限られていることから、パーティションを使用しない際に保管するとき、保管のためのスペースを小さくすることが好ましい。さらに、安価に導入可能なものであることが好ましい。
【０００７】
そこで、本考案は、テーブル等に対する設置や撤去が容易であり、安価に製造可能な組み立て式パーティションを提供することを課題とする。
【課題を解決するための手段】
【０００８】
上記した課題を解決するための請求項１に記載の考案は、第一仕切部材と第二仕切部材を有し、前記第一仕切部材と前記第二仕切部材は、仕切り壁となるパネル状の部材であり、前記第一仕切部材には、第一係合溝が形成され、前記第二仕切部材には、第二係合溝が形成されており、前記第一係合溝の内側に前記第二仕切部材の一部を配し、前記第二係合溝の内側に前記第一仕切部材の一部を配することで、組み立てられるものであり、組み立てられた状態では、前記第一仕切部材の下側に位置する端面と、前記第二仕切部材の下側に位置する端面を設置面と接触させることで、前記第一仕切部材及び前記第二仕切部材が起立した姿勢を維持することを特徴とする組み立て式パーティションである。
【０００９】
本考案の組み立て式パーティションは、組み立てが容易であり、組み立てて設置場所に設置するだけで使用可能であるので、クランプ等の取付用部材を必要とせず、設置や撤去が容易である。また、簡易な構造でパーティションを形成できるので、安価に製造可能となる。
【００１０】
上記した考案は、前記第一仕切部材と、前記第二仕切部材と、さらに他の仕切部材を有し、前記他の仕切部材は、前記第二仕切部材と同形の部材、又は、長さ、高さ、厚さの少なくとも一つが異なるものであり、前記第二係合溝が形成され、前記第二仕切部材と、前記他の仕切部材は、厚さ方向が同じ方向となるように少なくとも一部が重なった状態で配され、前記第一係合溝の内側に、前記第二仕切部材と前記他の仕切部材の一部同士が重なる重なり部分が配され、前記第二仕切部材と前記他の仕切部材のそれぞれに形成された前記第二係合溝の内側に前記第一仕切部材の一部が配されることが好ましい（請求項２）。
【００１１】
請求項３に記載の考案は、前記第一仕切部材と前記第二仕切部材は、厚さ方向を視線方向とした平面視において、水平方向の長さ、及び、上下方向の長さが同一又は略同一であることを特徴とする請求項１又は２に記載の組み立て式パーティションである。
【００１２】
かかる構成によると、分解して収納する際に保管スペースを小さくできる。
【００１３】
請求項４に記載の考案は、一つの前記第一仕切部材と、２つの前記第二仕切部材を有し、２つの前記第二仕切部材は、厚さ方向が同じ方向となるように一部が重なった状態で並列配置され、２つの前記第二仕切部材の一部同士が重なる重なり部分では、それぞれの前記第二仕切部材に形成された前記第二係合溝が重なり、一つの前記第一係合溝の内側に前記重なり部分が配され、重なる２つの前記第二係合溝の内側に前記第一仕切部材の一部が配され、一つの前記第一仕切部材と、２つの前記第二仕切部材が上方からみた平面視で十字状に延びていることを特徴とする請求項１乃至３のいずれかに記載の組み立て式パーティションである。
【００１４】
かかる構成によると、設置時に倒れ難く安定した使用が可能となる。
【００１５】
請求項５に記載の考案は、一つの前記第一仕切部材と、２つの前記第二仕切部材を有し、前記第一仕切部材と前記第二仕切部材は、仕切り壁となるパネル状の部材であり、厚さ方向を視線方向とした平面視において、水平方向の長さ、及び、上下方向の長さが同一又は略同一であり、前記第一仕切部材には、第一係合溝が形成され、前記第二仕切部材には、第二係合溝が形成されており、２つの前記第二仕切部材は、厚さ方向が同じ方向となるように一部が重なった状態で並列配置され、２つの前記第二仕切部材の一部同士が重なる重なり部分では、それぞれの前記第二仕切部材に形成された前記第二係合溝が重なり、一つの前記第一係合溝の内側に前記重なり部分が配され、重なる２つの前記第二係合溝の内側に前記第一仕切部材の一部が配され、一つの前記第一仕切部材と、２つの前記第二仕切部材が上方からみた平面視で十字状に延びており、前記第一仕切部材の下側に位置する端面と、２つの前記第二仕切部材の下側に位置する端面を設置面と接触させることで、前記第一仕切部材及び２つの前記第二仕切部材が起立した姿勢を維持することを特徴とする組み立て式パーティションである。
【００１６】
本考案によると、組み立て、設置、撤去が容易であり、安価に製造可能である。また、設置時に倒れ難く安定した使用が可能であり、分解して収納する際に保管スペースを小さくできる。
【考案の効果】
【００１７】
本考案によれば、テーブル等に対する設置や撤去が容易であり、安価に製造可能な組み立て式パーティションを提供できる。
【図面の簡単な説明】
【００１８】
【図１】本考案の実施形態に係る組み立て式パーティションをテーブル上に載置した様子を示す斜視図である。
【図２】（ａ）は、図１の第一仕切部材を示す平面図であり、（ｂ）は図１の第二仕切部材を示す平面図である。
【図３】図１の組み立て式パーティションを組み立てている様子を示す説明図である。
【図４】図１とは異なる実施形態に係る組み立て式パーティションを示す説明図であり、（ａ）は、組み立て前の様子を示し、（ｂ）は、組み立てた状態を示す。
【考案を実施するための形態】
【００１９】
以下、本考案の実施形態に係るパーティション１（組み立て式パーティション）について図面を参照しつつ詳細に説明する。なお、上下方向については、特に説明のない限り、図１の姿勢を基準として説明する。
【００２０】
本考案の実施形態に係るパーティション１は、図１で示されるように、テーブル、机等の上を載置場所とし、載置場所に設置して使用するものであって、載置場所上の空間を仕切るものである。つまり、本実施形態のパーティション１は卓上用であり、図１の例では、テーブルの天板に載置して天板上を仕切る例を示している。
【００２１】
パーティション１は、第一仕切部材２（仕切部材）と、２つの第二仕切部材３（仕切り部材）を組み立てて形成される。第一仕切部材２、第二仕切部材３は、いずれもポリエチレンテレフタレート（ＰＥＴ）を主原料として形成される合成樹脂製の板状体であり、透明性及び可撓性を有する。なお、ここで「透明性を有する（透明である）」とは、部材を通してその先にあるものが透けて見える状態、つまり、一方の主面側からみたときに他方の主面の先あるものが透けてみえる状態を意味し、無色のものだけではなく、有色のものを含む。
【００２２】
第一仕切部材２は、図２（ａ）で示されるように、厚さ方向を視線方向とした平面視において、高さ方向と交差する方向が長辺（長手方向）となる略長方形板状のパネル状部材である。
すなわち、第一仕切部材２の長手方向の長さＬ１は、上下方向の長さＬ２よりも長い。特に限定されるものではないが、本実施形態では、長さＬ１を６００ｍｍとし、長さＬ２を４５０ｍｍとしている。
【００２３】
第一仕切部材２の四隅のうち、上方に位置する２つの角部分は、面取りされて丸みを帯びた形状となっている。
【００２４】
さらに第一仕切部材２には、第一係合溝１０が設けられている。第一係合溝１０は、第一仕切部材２の下端から上方に向かって直線状に延びる切り欠き溝である。また、第一仕切部材２の主面に形成される第一係合溝１０の開口は、開口形状が略長方形状となっている。また、第一係合溝１０は、第一仕切部材２を厚さ方向に貫通し、第一仕切部材２の長手方向に溝幅を有する。
第一係合溝１０の長さＬ３は、特に限定されるものでないが、上記した長さＬ２の５０パーセントの長さとしており、本実施形態では２２５ｍｍである。
【００２５】
本実施形態では、第一係合溝１０は、第一仕切部材２の長手方向の中心部分に形成されている。すなわち、第一仕切部材２の長手方向の片側端部から第一係合溝１０の溝幅の中心までの距離Ｌ４は、上記長さＬ１の５０パーセントの長さとなる。なお、第一係合溝１０は、第一仕切部材２の長手方向の中心部分の他、中心近傍に形成してもよい。つまり、上記距離Ｌ４は、長さＬ１の３０パーセント以上６０パーセント以下でもよい。
【００２６】
第二仕切部材３は、図２（ｂ）で示されるように、厚さ方向を視線方向とした平面視において、高さ方向と交差する方向が長辺（長手方向）となる略長方形板状のパネル状部材である。すなわち、第一仕切部材２の長手方向の長さＬ５は、上下方向の長さＬ６よりも長い。
【００２７】
第二仕切部材３の四隅のうち、上方に位置する２つの角部分の一方は、面取りされて丸みを帯びた形状となっている。
【００２８】
さらに第二仕切部材３には、第二係合溝１１が設けられている。第二係合溝１１は、第二仕切部材３の上端から下方に向かって直線状に延びる切り欠き溝である。また、第二仕切部材３の主面に形成される第二係合溝１１の開口は、開口形状が略長方形状となっている。また、第二係合溝１１は、第二仕切部材３を厚さ方向に貫通し、第二仕切部材３の長手方向に溝幅を有する。第二係合溝１１の長さＬ７は、上記した長さＬ６の５０パーセントの長さとしている。
【００２９】
ここで、第二係合溝１１は、第二仕切部材３の長手方向の片側端部の近傍に形成されている。具体的には、第二仕切部材３の上側部分では、長手方向の片側端部の近傍に第二係合溝１１が形成され、他方側端部に位置する角部分が上記した丸みを帯びた角部分となっている。つまり、丸みを帯びた角部分が位置する端部とは、第二仕切部材３の長手方向で逆側となる端部の近傍に、第二係合溝１１が形成されている。
【００３０】
具体的には、第一仕切部材２の長手方向の片側端部から第二係合溝１１の溝幅の中心までの距離Ｌ８は、上記長さＬ５の１パーセント以上２０パーセント以下となる長さであり、本実施形態では、上記長さＬ１の５パーセントの長さとしている。
【００３１】
第一仕切部材２と第二仕切部材３は、略同じ大きさの板状体である。すなわち、上記Ｌ１とＬ５は同じ長さであり、上記Ｌ２とＬ６は同じ長さである。つまり、第一仕切部材２と第二仕切部材３は、長手方向の長さと上下方向の長さ（高さ）が同一である。したがって、上記したＬ３、Ｌ７もまた、同じ長さとなる。さらに、第一仕切部材２と第二仕切部材３の厚さは同一であり、本実施形態では３ｍｍの厚さとしている。
【００３２】
ここで、第一係合溝１０の溝幅Ｌ９は、第二係合溝１１の溝幅Ｌ１０よりも長い。具体的には、第二係合溝１１の溝幅Ｌ１０は、第一仕切部材２、第二仕切部材３の厚さと同じ長さとしており、本実施形態では３ｍｍとなっている。
そして、第一係合溝１０の溝幅Ｌ９は、第一仕切部材２、第二仕切部材３の厚さの２倍以上の長さとしており、本実施形態では、６．２ｍｍとしている。
【００３３】
続いて、本実施形態のパーティション１の組み立て構造について説明する。
【００３４】
まず、図３で示されるように、２つの第二仕切部材３の一部分同士を重ねた状態とする。具体的には、一方の第二仕切部材３ａと他方の第二仕切部材３ｂ（他の仕切部材）のそれぞれの厚さ方向を同一方向とし、それぞれの第二係合溝１１を重ねた状態とする。本実施形態では、一方の第二係合溝１１の全体と、他方の第二係合溝１１の全体を重ねた状態としている。
【００３５】
このとき、一方の第二仕切部材３ａのうちで長手方向の片側端部側の部分が、他方の第二仕切部材３ｂと重なる重なり形成部２０ａとなり、他の部分は、他方の第二仕切部材３ｂと重ならない部分となる。同様に、他方の第二仕切部材３ｂのうちで長手方向の片側端部側の部分が、もう一方の第二仕切部材３ａと重なる重なり形成部２０ｂとなり、他の部分は、もう一方の第二仕切部材３ａと重ならない部分となる。そして、それぞれの重なり形成部２０ａ，２０ｂが重なる部分が、第二仕切部材３の重なり部２０（重なり部分）となる。
【００３６】
また、一方の第二仕切部材３ａの主面において、全面積に占める重なり形成部２０ａの面積の割合は、他方の第二仕切部材３ｂの主面において、全面積に占める重なり形成部２０ｂの面積の割合と同じである。つまり、一方の第二仕切部材３ａと、他方の第二仕切部材３ｂは同形の部材であり、対応する同じ領域がそれぞれの重なり形成部２０ａ，２０ｂとなる。
【００３７】
そして、２つの第二仕切部材３に対し、第一仕切部材２を上方から差し込む。このことにより、図１で示されるように、本実施形態のパーティション１の組み立てが完了する。
パーティション１が組み立てられると、第一係合溝１０と、２つの第二係合溝１１（図１では、一方の第二係合溝１１は図示しない）が上下で並んだ状態となる。したがって、図１、図３から自明なように、第一仕切部材２の第一係合溝１０の内側には、２つの第二仕切部材３ａ，３ｂが重なる重なり部２０が配される。つまり、一方の第二仕切部材３ａにおいて第二係合溝１１よりも下方側の部分と、もう一方の第二仕切部材３ｂにおいて第二係合溝１１よりも下方側の部分とが重なった状態で配される。
【００３８】
また、２つの第二仕切部材３の第二係合溝１１の内側には、第一仕切部材２の第一係合溝１０よりも上側の部分が配される。
【００３９】
本実施形態のパーティション１は、２つの第二仕切部材３を重ねて第一仕切部材２を差し込むだけで組み立てが可能であり、組み立てにねじ等を使用しない。このため、組み立て及び分解が容易である。
なお、パーティション１は、組み立てた状態（以下、組立状態とも称す）において、マスキングフィルム（マスキングテープ、粘着テープ）を補強や装飾のために貼り付けてもよい。例えば、重なり部２０と第一仕切部材２の主面とが連続する凹角部分等にテープを貼り付けてもよい。テープは剥がしやすいものとすることが好ましい。
【００４０】
上記したように、第一仕切部材２と、第二仕切部材３は、略同じ大きさの板状体となっている。このため、パーティション１を分解し、三つの仕切部材（一つの第一仕切部材２と２つの第二仕切部材３）を重ねて配置することで、保管時における保管場所の省スペース化を図ることができる。
【００４１】
本実施形態のパーティション１は、図１で示されるように、上方からみた平面視で十字状（略十字状）に延びており、設置場所上部の空間を四つに区画するものである。すなわち、一つの第一仕切部材２と、２つの第二仕切部材３は、いずれも空間を仕切る仕切り壁となる。また、上方からみた平面視において、第一仕切部材２の長手方向と、２つの第二仕切部材３の並列方向は交差する方向（本実施形態では直交する方向）となる。なお、２つの第二仕切部材３の並列方向は、それぞれの第二仕切部材３の長手方向でもある。
同様に、第一仕切部材２の厚さ方向と、２つの第二仕切部材３のそれぞれの厚さ方向もまた、上方からみた平面視で交差する方向（本実施形態では直交する方向）となる。
【００４２】
本実施形態のパーティション１は、図１で示されるように、上側に位置する四つの角部分がいずれも丸みを帯びた形状となる。このため、人が触ってもケガをし難くなっている。これに対し、上側の四つの角部分の下方側にそれぞれ位置する下側の角部分は、いずれも直角の角部分（尖った角部分）となっている。このことから、パーティション１を設置場所に載置させるとき、パーティション１の下端部分と設置面との間に隙間が形成されず、下端部分と設置面の接触面積を大きくすることができる。
【００４３】
ここで、三つの仕切部材（一つの第一仕切部材２と２つの第二仕切部材３）は、いずれも薄い板状の部材（厚さが５ｍｍ以下となる部材であり、本実施形態では３ｍｍ）である。そのため、それぞれの仕切り部材は、個別に起立した姿勢を維持できないものとなっている。つまり、パーティション１を分解した状態で、それぞれの仕切り部材の下端面を設置面と接触させても、起立した姿勢が維持されないものとなっている。
対して、組み立て状態とすると、三つの仕切部材の下端面を設置面と接触させることで、三つの仕切部材が起立した姿勢を維持する。すなわち、取付用部材や支持部材を介することなく、設置場所に置くだけで、パーティション１を使用できる。すなわち、本実施形態のパーティション１は、使用に当たり煩雑な取り付け作業等を必要とせず、使用が可能である。このため、設置場所への設置や撤去が容易である。
【００４４】
さらに、本実施形態のパーティション１は、三つの仕切部材（一つの第一仕切部材２と２つの第二仕切部材３）をいずれも薄く軽い部材とすることができる。このことから、組み立てたパーティション１もまた軽く持ち運びが容易なものとなり、この点からも、設置場所への設置や撤去が容易である。
【００４５】
また、第一係合溝１０の溝幅Ｌ９（図２参照）は、上記したように、第二仕切部材３の厚さの２倍以上の長さとしている。つまり、２つの第二仕切部材３の重なり部分の厚さ以上の長さである。ここでいう「重なり部分の厚さ」は、重ねて配置する第二仕切部材３の枚数をｎ（ｎは整数）とし、一枚当たりの第二仕切部材３の厚さをＸとしたとき、ｎ×Ｘとなる長さである。溝幅Ｌ９は、ｎ×Ｘよりも０．１ｍｍ乃至１ｍｍ程度大きくすることが、組み立てを容易化する上で好ましい。
【００４６】
上記した実施形態において、同じ長さとした部分は、完全に同じ長さである他、略同じ長さであってもよい。すなわち、一方の長さに対して他方の長さが数パーセント程度長い長さであってもよい（数パーセントの誤差があってもよい）。同様に、同じ厚さとした部分についても、完全に同じ厚さである他、略同じ厚さであってもよい。
【００４７】
上記した実施形態では、一つの第一仕切部材２と２つの第二仕切部材３からなるパーティション１の例を示したが、本考案はこれに限るものではない。
例えば、２つの第二仕切部材３ａ，３ｂのうちの一方の仕切部材に替えて、別の仕切部材を採用してもよい。すなわち、一つの第一仕切部材２と、一つの第二仕切部材３と、さらに他の仕切部材によってパーティションを形成するとき、さらに他の仕切部材は、第二仕切部材３であってもよく（第二仕切部材３と同形であってもよく）、第二仕切部材３とは異なる仕切部材であってもよい。
第二仕切部材３と異なる仕切部材とする場合、他の仕切部材は、第二仕切部材３と比べて、長さ、高さ、厚さの少なくとも一つが異なるものであってもよく、厚さ方向を視線方向した平面視における平面視形状が異なるものであってもよい。
【００４８】
また、本考案は、上記した実施形態に係るパーティション１に限るものではない。例えば、図４で示されるようなパーティション１０１であってもよい。本実施形態のパーティション１０１は、設置場所上部の空間を３つに区画するものである。
【００４９】
具体的には、パーティション１０１は、図４で示されるように、１つの第一仕切部材１０２，２つの第二仕切部材１０３によって構成されている。第一仕切部材１０２、第二仕切部材１０３には、切り欠き溝である第一係合溝１１０、第二係合溝１１１が設けられている。
本実施形態では、同じ形状である２つの第二仕切部材１０３を重ねており、一方の第二仕切部材１０３の一主面の全域と、他方の第二仕切部材１０３の一主面の全域とが面接触している。つまり、２つの第二仕切部材１０３は、それぞれの全体が、対となるもう一方の第二仕切部材１０３と重なる重なり形成部となる。そして、２つの第二仕切部材１０３を重ねることで、２つの第二仕切部材１０３にそれぞれ形成された第二係合溝１１１もまた重なった状態となる。
【００５０】
本実施形態のパーティション１０１もまた、そして、２つの第二仕切部材１０３に対し、第一仕切部材１０２を上方から差し込む。なお、本実施形態のパーティション１０１は、下方から第一仕切部材１０２を差し込む構成としてもよい。この場合、例えば、第一仕切部材１０２に形成された第一係合溝１１０に替わって、上端から下方に延びる係合溝を設ける。また、第二仕切部材１０３に形成された第二係合溝１１１に替わって、下端から上方に延びる係合溝を設ける。
【００５１】
本実施形態のパーティション１０１は、図４（ｂ）で示されるように、平面視形状が十字状であって、略Ｔ字状のものとなっている。すなわち、２つの第二仕切部材１０３は、第一仕切部材１０２を挟んで片側に位置する部分（以下、片側部１２１とも称す）が、他方側に位置する部分よりも、長手方向の長さが短くなっている。言い換えると、２つの第二仕切部材１０３のうち、わずかな部分のみが第一仕切部材１０２を挟んで片側に位置する。具体的には、片側部１２１の長手方向の長さは、第二仕切部材１０３の全体の長手方向の長さの５パーセント以下としてもよく、３パーセント以下としてもよい。
また、本実施形態では、第二仕切部材１０３を２枚（複数枚）重ね、第一仕切部材１０２を一枚としたが、第二仕切部材１０３を一枚とし、第一仕切部材１０２を複数枚（ｎ枚であり、ｎは２以上の整数）重ねてもよい。この場合、第二係合溝１１０の溝幅を第一係合溝１１０よりも長くしてもよく、第一仕切部材１０２の厚さのｎ倍の長さとしてもよい。第一係合溝１１０の溝幅は、第二仕切部材１０３の厚さ以上の長さとしてもよい。
【符号の説明】
【００５２】
１，１０１  パーティション（組み立て式パーティション）
２，１０２  第一仕切部材
３，１０３  第二仕切部材（仕切部材）
１０，１１０  第一係合溝
１１，１１１  第二係合溝
２０  重なり部（重なり部分）
【図１】
0003228986.tif 000003
【図２】
0003228986.tif 000004
【図３】
0003228986.tif 000005
【図４】
0003228986.tif 000006
【手続補正書】
【提出日】令和2年8月19日(2020.8.19)
【手続補正１】
【補正対象書類名】実用新案登録請求の範囲
【補正対象項目名】全文
【補正方法】変更
【補正の内容】
【実用新案登録請求の範囲】
【請求項１】
第一仕切部材と第二仕切部材を有し、
前記第一仕切部材と前記第二仕切部材は、仕切り壁となるパネル状の部材であり、
前記第一仕切部材には、第一係合溝が形成され、
前記第二仕切部材には、第二係合溝が形成されており、
前記第一係合溝の内側に前記第二仕切部材の一部を配し、前記第二係合溝の内側に前記第一仕切部材の一部を配することで、組み立てられるものであり、
組み立てられた状態では、前記第一仕切部材の下側に位置する端面と、前記第二仕切部材の下側に位置する端面を設置面と接触させることで、前記第一仕切部材及び前記第二仕切部材が起立した姿勢を維持することを特徴とする組み立て式パーティション。
【請求項２】
前記第一仕切部材と、前記第二仕切部材と、さらに他の仕切部材を有し、
前記他の仕切部材は、前記第二仕切部材と同形の部材、又は、長さ、高さ、厚さの少なくとも一つが異なるものであり、前記第二係合溝が形成され、
前記第二仕切部材と、前記他の仕切部材は、厚さ方向が同じ方向となるように少なくとも一部が重なった状態で配され、前記第一係合溝の内側に、前記第二仕切部材と前記他の仕切部材の一部同士が重なる重なり部分が配され、前記第二仕切部材と前記他の仕切部材のそれぞれに形成された前記第二係合溝の内側に前記第一仕切部材の一部が配されることを特徴とする請求項１に記載の組み立て式パーティション。
【請求項３】
前記第一仕切部材と前記第二仕切部材は、厚さ方向を視線方向とした平面視において、水平方向の長さ、及び、上下方向の長さが同一又は略同一であることを特徴とする請求項１又は２に記載の組み立て式パーティション。
【請求項４】
一つの前記第一仕切部材と、２つの前記第二仕切部材を有し、
２つの前記第二仕切部材は、厚さ方向が同じ方向となるように一部が重なった状態で並列配置され、
２つの前記第二仕切部材の一部同士が重なる重なり部分では、それぞれの前記第二仕切部材に形成された前記第二係合溝が重なり、
一つの前記第一係合溝の内側に前記重なり部分が配され、重なる２つの前記第二係合溝の内側に前記第一仕切部材の一部が配され、一つの前記第一仕切部材と、２つの前記第二仕切部材が上方からみた平面視で十字状に延びていることを特徴とする請求項１乃至３のいずれかに記載の組み立て式パーティション。
【請求項５】
一つの第一仕切部材と、２つの第二仕切部材を有し、
前記第一仕切部材と前記第二仕切部材は、仕切り壁となるパネル状の部材であり、厚さ方向を視線方向とした平面視において、水平方向の長さ、及び、上下方向の長さが同一又は略同一であり、
前記第一仕切部材には、第一係合溝が形成され、
前記第二仕切部材には、第二係合溝が形成されており、
２つの前記第二仕切部材は、厚さ方向が同じ方向となるように一部が重なった状態で並列配置され、
２つの前記第二仕切部材の一部同士が重なる重なり部分では、それぞれの前記第二仕切部材に形成された前記第二係合溝が重なり、
一つの前記第一係合溝の内側に前記重なり部分が配され、重なる２つの前記第二係合溝の内側に前記第一仕切部材の一部が配され、一つの前記第一仕切部材と、２つの前記第二仕切部材が上方からみた平面視で十字状に延びており、
前記第一仕切部材の下側に位置する端面と、２つの前記第二仕切部材の下側に位置する端面を設置面と接触させることで、前記第一仕切部材及び２つの前記第二仕切部材が起立した姿勢を維持することを特徴とする組み立て式パーティション。
【手続補正２】
【補正対象書類名】明細書
【補正対象項目名】００１５
【補正方法】変更
【補正の内容】
【００１５】
請求項５に記載の考案は、一つの第一仕切部材と、２つの第二仕切部材を有し、前記第一仕切部材と前記第二仕切部材は、仕切り壁となるパネル状の部材であり、厚さ方向を視線方向とした平面視において、水平方向の長さ、及び、上下方向の長さが同一又は略同一であり、前記第一仕切部材には、第一係合溝が形成され、前記第二仕切部材には、第二係合溝が形成されており、２つの前記第二仕切部材は、厚さ方向が同じ方向となるように一部が重なった状態で並列配置され、２つの前記第二仕切部材の一部同士が重なる重なり部分では、それぞれの前記第二仕切部材に形成された前記第二係合溝が重なり、一つの前記第一係合溝の内側に前記重なり部分が配され、重なる２つの前記第二係合溝の内側に前記第一仕切部材の一部が配され、一つの前記第一仕切部材と、２つの前記第二仕切部材が上方からみた平面視で十字状に延びており、前記第一仕切部材の下側に位置する端面と、２つの前記第二仕切部材の下側に位置する端面を設置面と接触させることで、前記第一仕切部材及び２つの前記第二仕切部材が起立した姿勢を維持することを特徴とする組み立て式パーティションである。